(57)【要約】【課題】着脱自在な回転部材が装着されているか否かを、回転部材に交流電圧を印加して判定する場合と比較して、短時間で判定することができる回転部材の有無判定装置及び画像形成装置を提供する。【解決手段】着脱自在な回転部材が回転していない状態で、回転部材の周囲に設けられた電圧印加部材に印加される直流電圧の出力値を変更し、出力値の変更時を含む期間に電圧印加部材に流れる電流の電流値を計測し、計測された電流値から回転部材の有無を出力する。【選択図】図５
2018163235.tif 000002
【特許請求の範囲】
【請求項１】
着脱自在な回転部材が回転していない状態で、前記回転部材の周囲に設けられた電圧印加部材に印加される直流電圧の出力値を変更する変更手段と、
前記変更手段による前記出力値の変更時を含む期間に前記電圧印加部材に流れる電流の電流値を計測する計測手段と、
前記計測手段により計測された前記電流値から前記回転部材の有無を出力する出力手段と、
を備えた回転部材の有無判定装置。
【請求項２】
前記出力手段は、前記回転部材の有無として、前記電流値を、前記回転部材が有りの場合に前記計測手段により計測された前記電流値との比較結果を出力する
請求項１記載の回転部材の有無判定装置。
【請求項３】
前記変更手段は、前記直流電圧の出力値を１回のみ変更する
請求項１又は２記載の回転部材の有無判定装置。
【請求項４】
前記変更手段は、前記直流電圧が、出力されていない状態から予め定めた出力値となるように変更する
請求項３記載の回転部材の有無判定装置。
【請求項５】
前記変更手段は、前記直流電圧の出力値を複数回変更する
請求項１又は２記載の回転部材の有無判定装置。
【請求項６】
前記変更手段は、前記電圧印加部材に前記直流電圧が印加されている状態で、前記計測手段により計測されている前記電流値が下がったタイミングで、前記直流電圧の印加を停止させる
請求項１又は２記載の回転部材の有無判定装置。
【請求項７】
通信手段を備えた前記回転部材が装着される装着部と、
前記装着部、及び前記装着部に装着された前記回転部材を覆う蓋部と、を更に備え、
前記変更手段は、前記蓋部が閉じられた場合、及び、前記回転部材に設けられた前記通信手段との通信においてエラーが発生した場合の少なくとも一方の場合に、前記電圧印加部材に印加する直流電圧の出力値を変更する
請求項１〜６の何れか１項記載の回転部材の有無判定装置。
【請求項８】
前記出力手段は、前記回転部材に設けられた前記通信手段との通信においてエラーが発生し、かつ前記回転部材の有りの場合には、前記回転部材の再装着を促すための情報を出力する
請求項７記載の回転部材の有無判定装置。
【請求項９】
前記出力手段は、前記回転部材が無しの場合には、前記回転部材の装着を促すための情報を出力する
請求項１〜８の何れか１項記載の回転部材の有無判定装置。
【請求項１０】
回転部材である像保持体を含む着脱ユニットと、
請求項１〜９の何れか１項記載の回転部材の有無判定装置と、
を有する画像形成装置。
【請求項１１】
前記回転部材の有無判定装置の電圧印加部材は、前記像保持体を帯電させる帯電手段、前記像保持体にトナー像を現像する現像手段、前記像保持体に現像されたトナー像を中間転写ベルト又は記録媒体に転写する転写手段、及び前記像保持体に付着した電荷を除電する除電手段の少なくとも１つである
請求項１０記載の画像形成装置。
【発明の詳細な説明】
【技術分野】
【０００１】
本発明は、回転部材の有無判定装置及び画像形成装置に関する。
【背景技術】
【０００２】
特許文献１には、感光体と該感光体に隣接する帯電手段を備えて形成され装置本体に着脱可能な像形成ユニットと、前記帯電手段に高圧交流を供給するＡＣ高圧増幅回路と、該ＡＣ高圧増幅回路から出力のＡＣ電流を検出するＡＣ電流検出回路と、該ＡＣ電流検出回路の出力電圧と第一の基準電圧との差電圧を増幅する差電圧増幅器と、該差電圧増幅器の出力電圧に対応してＡＣ出力電圧の波形振幅が変化し前記ＡＣ高圧増幅回路に入力させる可変振幅発信器とを備え、前記帯電手段により前記感光体を帯電させ画像信号に基づいて感光体に画像の潜像を形成し該潜像に記録剤を付着させて可視像とし記録媒体に転写記録する画像形成装置であって、前記ＡＣ電流検出回路の出力電圧と第二の基準電圧とを比較する比較器を備えた前記着脱可能な像形成ユニットの装着を検出する装着検出手段を有することを特徴とする画像形成装置が開示されている。
【先行技術文献】
【特許文献】
【０００３】
【特許文献１】特開平０８−３３５０２２号公報
【発明の概要】
【発明が解決しようとする課題】
【０００４】
本発明は、着脱自在な回転部材が装着されているか否かを、回転部材に交流電圧を印加して判定する場合と比較して、短時間で判定することができる回転部材の有無判定装置及び画像形成装置を提供することを目的とする。
【課題を解決するための手段】
【０００５】
請求項１に係る有無判定装置は、着脱自在な回転部材が回転していない状態で、前記回転部材の周囲に設けられた電圧印加部材に印加される直流電圧の出力値を変更する変更手段と、前記変更手段による前記出力値の変更時を含む期間に前記電圧印加部材に流れる電流の電流値を計測する計測手段と、前記計測手段により計測された前記電流値から前記回転部材の有無を出力する出力手段と、を備える。
【０００６】
請求項２に係る有無判定装置は、請求項１記載の発明において、前記出力手段は、前記回転部材の有無として、前記電流値を、前記回転部材が有りの場合に前記計測手段により計測された前記電流値との比較結果を出力する。
【０００７】
請求項３に係る有無判定装置は、請求項１又は２記載の発明において、前記変更手段は、前記直流電圧の出力値を１回のみ変更する。
【０００８】
請求項４に係る有無判定装置は、請求項３記載の発明において、前記直流電圧が、出力されていない状態から予め定めた出力値となるように変更する。
【０００９】
請求項５に係る有無判定装置は、請求項１又は２記載の発明において、前記変更手段は、前記直流電圧の出力値を複数回変更する。
【００１０】
請求項６に係る有無判定装置は、請求項１又は２記載の発明において、前記変更手段は、前記電圧印加部材に前記直流電圧が印加されている状態で、前記計測手段により計測されている前記電流値が下がったタイミングで、前記直流電圧の印加を停止させる。
【００１１】
請求項７に係る有無判定装置は、請求項１〜６の何れか１項記載の発明において、通信手段を備えた前記回転部材が装着される装着部と、前記装着部、及び前記装着部に装着された前記回転部材を覆う蓋部と、を更に備え、前記変更手段は、前記蓋部が閉じられた場合、及び、前記回転部材に設けられた前記通信手段との通信においてエラーが発生した場合の少なくとも一方の場合に、前記電圧印加部材に印加する直流電圧の出力値を変更する。
【００１２】
請求項８に係る有無判定装置は、請求項６記載の発明において、前記出力手段は、前記回転部材に設けられた前記通信手段との通信においてエラーが発生し、かつ前記回転部材の有りの場合には、前記回転部材の再装着を促すための情報を出力する。
【００１３】
請求項９に係る有無判定装置は、請求項１〜８の何れか１項記載の発明において、前記出力手段は、前記回転部材が無しの場合には、前記回転部材の装着を促すための情報を出力する。
【００１４】
請求項１０に係る画像形成装置は、回転部材である像保持体を含む着脱ユニットと、請求項１〜９の何れか１項記載の回転部材の有無判定装置と、を有する。
【００１５】
請求項１１に係る画像形成装置は、請求項１０記載の発明において、前記回転部材の有無判定装置の電圧印加部材は、前記像保持体を帯電させる帯電手段、前記像保持体にトナー像を現像する現像手段、前記像保持体に現像されたトナー像を中間転写ベルト又は記録媒体に転写する転写手段、及び前記像保持体に付着した電荷を除電する除電手段の少なくとも１つである。
【発明の効果】
【００１６】
請求項１、１０の発明によれば、着脱自在な回転部材が装着されているか否かを、回転部材に交流電圧を印加して判定する場合と比較して、短時間で判定することができる。
【００１７】
請求項２の発明によれば、計測手段により計測された電流値を予め定めた固定値と比較した場合と比較して、回転部材の有無を精度良く判定することができる。
【００１８】
請求項３の発明によれば、回転部材に印加する直流電圧の出力値を複数回変更した場合と比較して、回転部材の劣化を低減させることができる。
【００１９】
請求項４の発明によれば、回転部材に印加する直流電圧が、出力されている状態から予め定めた出力値となるように変更した場合と比較して、回転部材の劣化を更に低減させることができる。
【００２０】
請求項５の発明によれば、回転部材に印加する直流電圧の出力値を１回のみ変更した場合と比較して、回転部材の有無を精度良く判定することができる。
【００２１】
請求項６の発明によれば、予め定めた期間、回転部材に直流電圧を印加する場合と比較して、回転部材の劣化を更に低減させることができる。
【００２２】
請求項７の発明によれば、任意のタイミングで回転部材に印加する直流電圧を変更する場合と比較して、不要な処理が行われることを回避することができる。
【００２３】
請求項８の発明によれば、回転部材の再装着を促さない場合と比較して、回転部材が装着部に対して接触不良である状態で、回転部材を回転させてしまうことを回避することができる。
【００２４】
請求項９の発明によれば、回転部材の装着を促さない場合と比較して、回転部材が装着されていない状態で、回転部材を回転させようとしてしまうことを回避することができる。
【００２５】
請求項１１の発明によれば、画像形成装置が有する適切な部材に直流電圧を印加することで、像保持体が装着されているか否かを短時間で判定することができる。
【図面の簡単な説明】
【００２６】
【図１】実施形態に係る画像形成装置の全体構成を示す概略側面図である。
【図２】実施形態に係る着脱ユニットの配列状態を示す概略側面図である。
【図３】実施形態に係る帯電部材に対する電源及び電流計の電気的な接続方法を示す模式図である。
【図４】実施形態に係る画像形成装置の電気的な構成を示すブロック図である。
【図５】第１実施形態に係る画像形成装置における判定処理の流れを示すフローチャートである。
【図６】第１実施形態に係る画像形成装置における、帯電部材に印加される電圧の出力値の時系列変化の一例と、帯電部材に流れる電流の電流値の時系列変化の一例を示すグラフである。
【図７】第１実施形態に係る画像形成装置において、着脱ユニットが装着されている場合、及び装着されていない場合の、帯電部材に流れる電流の電流値の一例を示すグラフである。
【図８】第１実施形態に係る画像形成装置における、帯電部材に印加される電圧の出力値の時系列変化の別例と、帯電部材に流れる電流の電流値の時系列変化の別例を示すグラフである。
【図９】第２実施形態に係る画像形成装置における判定処理の流れを示すフローチャートである。
【図１０】第２実施形態に係る画像形成装置における、帯電部材に印加される電圧の出力値の時系列変化の一例と、帯電部材に流れる電流の電流値の時系列変化の一例を示すグラフである。
【発明を実施するための形態】
【００２７】
［第１実施形態］
【００２８】
以下、添付図面を参照して、本実施形態に係る画像形成装置について詳細に説明する。なお、各実施形態に係る画像形成装置として、カラーの間接転写方式の画像形成装置を用いた場合について説明する。
【００２９】
図１に示すように、本実施形態に係る画像形成装置１０の筐体１０Ａの内部には、画像処理部１２、露光装置１４、及び、イエロー（Ｙ）、マゼンタ（Ｍ）、シアン（Ｃ）、ブラック（Ｋ）の画像形成ユニット１６Ｙ、１６Ｍ、１６Ｃ、１６Ｋが設けられている。以下、Ｙ、Ｍ、Ｃ、Ｋを区別して説明する必要が無い場合は、Ｙ、Ｍ、Ｃ、Ｋを省略して記載する。また、Ｙ、Ｍ、Ｃ、Ｋを省略して記載した部材は、Ｙ、Ｍ、Ｃ、Ｋを付加した部材の各々を指す。
【００３０】
画像処理部１２は、画像形成の対象とする画像データを取得する。また、画像処理部１２は、取得した画像データをイエロー（Ｙ）、マゼンタ（Ｍ）、シアン（Ｃ）、ブラック（Ｋ）の４色の階調データに変換する。
【００３１】
露光装置１４は、筐体１０Ａの中央部に設けられていて、画像処理部１２から階調データを受け取って、レーザ光ＬＢによる画像露光を行う。また、各々の画像形成ユニット１６は、露光装置１４の上方に設けられていて、水平方向に間隔をおいて配置されている。
【００３２】
各々の画像形成ユニット１６は、予め決められた速度で図１のＡ方向に回転駆動する円柱状の回転部材である像保持体１８Ｙ、１８Ｍ、１８Ｃ、１８Ｋ、及び、像保持体１８の外周面を帯電する一次帯電用の帯電部材２０Ｙ、２０Ｍ、２０Ｃ、２０Ｋを有している。帯電部材２０は、帯電手段の一例である。
【００３３】
また、各々の画像形成ユニット１６は、露光装置１４の露光によって帯電した像保持体１８の外周面に形成された静電潜像を、予め決められた色のトナーで現像してトナー像として可視化する現像部材２２Ｙ、２２Ｍ、２２Ｃ，２２Ｋを有している。現像部材２２は、現像手段の一例である。
【００３４】
また、各々の画像形成ユニット１６は、現像部材２２Ｙ、２２Ｍ、２２Ｃ，２２Ｋによってトナー像が現像された像保持体１８Ｙ、１８Ｍ、１８Ｃ、１８Ｋの外周面に付着した電荷を除電する除電ロール２３Ｙ、２３Ｍ、２３Ｃ、２３Ｋを有している。除電ロール２３は、除電手段の一例である
【００３５】
また、露光装置１４には、各々の画像形成ユニット１６に共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射される。
【００３６】
なお、半導体レーザから出射されたレーザ光ＬＢ−Ｙ、ＬＢ−Ｍ、ＬＢ−Ｃ、ＬＢ−Ｋは、図示しないｆ−θレンズを介して回転多面鏡であるポリゴンミラー２６に照射され、このポリゴンミラー２６によって偏向走査される。そして、このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光される。
【００３７】
また、露光装置１４は、下方から像保持体１８上に画像を走査露光するものであるため、露光装置１４には、上方に位置する各々の画像形成ユニットの現像部材２２等からトナー等が落下する可能性がある。そのため、露光装置１４は、その周囲が直方体状のフレーム２８によって密閉されている。そして、フレーム２８の上部には、４本のレーザ光ＬＢ−Ｙ、ＬＢ−Ｍ、ＬＢ−Ｃ、ＬＢ−Ｋを、各々の画像形成ユニット１６の像保持体１８上に向けて透過させる透明なガラス製のウインドウ３０Ｙ、３０Ｍ、３０Ｃ、３０Ｋが設けられている。
【００３８】
一方、各々の画像形成ユニット１６の上方には、図１に示すように、無端状の中間転写ベルト３２が巻き掛けられると共に、回転駆動して中間転写ベルト３２を図１のＢ方向に周回させる駆動ロール４０が設けられている。すなわち、Ｂ方向は、中間転写ベルト３２の移動方向である。また、各々の画像形成ユニット１６の上方には、中間転写ベルト３２に張力を付与する張力付与ロール３６が設けられている。また、中間転写ベルト３２の上方には、中間転写ベルト３２の外周面を清掃する清掃ブレード３８が設けられている。また、中間転写ベルト３２の周回経路の内部には、中間転写ベルト３２を挟んで像保持体１８の反対側に配置される一次転写ロール３４Ｙ、３４Ｍ、３４Ｃ、３４Ｋが設けられている。一次転写ロール３４は、転写手段の一例である。
【００３９】
このような構成により、一次転写ロール３４によって、画像形成ユニット１６の像保持体１８上に順次形成されたイエロー（Ｙ）、マゼンタ（Ｍ）、シアン（Ｃ）、ブラック（Ｋ）の各色のトナー像が、中間転写ベルト３２上に、多重に転写される。
【００４０】
また、中間転写ベルト３２を挟んで駆動ロール４０の反対側には、二次転写ロール４２が設けられている。中間転写ベルト３２上に多重に転写されたイエロー（Ｙ）、マゼンタ（Ｍ）、シアン（Ｃ）、ブラック（Ｋ）の各色のトナー像は、中間転写ベルト３２により搬送される。そして、各色のトナー像は、駆動ロール４０と二次転写ロール４２に挟まれ、用紙搬送経路５６に沿って搬送される記録媒体としてのシート部材Ｐに二次転写される。
【００４１】
さらに、二次転写ロール４２に対してシート部材Ｐの搬送方向の下流側（以下、単に下流側と言う）には、シート部材Ｐに転写されたトナー像を熱及び圧力によりシート部材Ｐに定着させる定着装置４４が設けられている。また、定着装置４４の下流側には、トナー像が定着したシート部材Ｐを画像形成装置１０の筐体１０Ａの上部に設けられた排出部４８に排出する排出ロール４６が設けられている。
【００４２】
一方、筐体１０Ａの内部の下側には、シート部材Ｐが積載される給紙部材５０、及び、給紙部材５０に積載されたシート部材Ｐを用紙搬送経路５６へ送り出す給紙ロール５２が設けられている。また、給紙ロール５２の下流側には、シート部材Ｐを１枚ずつ分離して搬送する分離ロール５４が設けられている。また、分離ロール５４の下流側には、搬送タイミングを合わせる位置合せロール５８が設けられている。
【００４３】
このような構成により、給紙部材５０から供給されたシート部材Ｐは、予め決められたタイミングで回転する位置合せロール５８によって中間転写ベルト３２と二次転写ロール４２とが接する位置（二次転写位置）へ送り出される。
【００４４】
さらに、排出ロール４６に隣接するように、定着装置４４によって片面に画像が定着されたシート部材Ｐを、排出ロール４６によって排出部４８にそのまま排出せずに、両面用搬送経路６２に搬送する搬送ロール６０が設けられている。これにより、両面用搬送経路６２に沿って搬送されるシート部材Ｐは、 表裏が反転された状態で、位置合せロール５８へと再度搬送され、シート部材Ｐの裏面にトナー像が転写・定着されて排出部４８に排出される。
【００４５】
上述した構成により、以下のようにシート部材Ｐに画像が形成される。
【００４６】
先ず、画像処理部１２から露光装置１４に各色の階調データが順次出力される。また、露光装置１４から階調データに応じて出射されたレーザ光ＬＢ−Ｙ、ＬＢ−Ｍ、ＬＢ−Ｃ、ＬＢ−Ｋは、帯電部材２０によって帯電した像保持体１８の外周面に走査露光され、像保持体１８の外周面に静電潜像が形成される。像保持体１８上に形成された静電潜像は、現像部材２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー像として可視化される。
【００４７】
さらに、各々の画像形成ユニット１６の上方に渡って配置された一次転写ロール３４によって、像保持体１８上に形成された各色のトナー像が、周回する中間転写ベルト３２上に多重に転写される。
【００４８】
また、中間転写ベルト３２上に転写された各色のトナー像は、二次転写ロール４２により、給紙部材５０から給紙ロール５２、分離ロール５４、位置合せロール５８によって用紙搬送経路５６に予め定めたタイミングで搬送されたシート部材Ｐに二次転写される。
【００４９】
さらに、トナー像が転写されたシート部材Ｐは、定着装置４４へと搬送される。シート部材Ｐに転写されたトナー像は、定着装置４４によってシート部材Ｐに定着され、その後、シート部材Ｐは、画像形成装置１０の筐体１０Ａの上部に設けられた排出部４８に排出ロール４６によって排出される。
【００５０】
さらに、シート部材Ｐの両面に画像を形成させる場合は、定着装置４４によって片面に画像が定着されたシート部材Ｐを、排出ロール４６によって排出部４８上にそのまま排出せずに、搬送方向を切り替え、搬送ロール６０を介して両面用搬送経路６２へと搬送する。そして、両面用搬送経路６２に沿ってシート部材Ｐを搬送することで、シート部材Ｐの表裏が反転され、シート部材Ｐが再度位置合せロール５８へと搬送される。シート部材Ｐは、裏面にトナー像が転写・定着された後、排出部４８上に排出ロール４６によって排出される。
【００５１】
なお、本実施形態では、図２に示すように、回転部材である像保持体１８Ｙ、帯電部材２０Ｙ、及び除電ロール２３Ｙが、画像形成装置１０に対して着脱自在な着脱ユニット２１Ｙとして構成されている。また、回転部材である像保持体１８Ｍ、帯電部材２０Ｍ、及び除電ロール２３ｍが、画像形成装置１０に対して着脱自在な着脱ユニット２１Ｍとして構成されている。また、回転部材である像保持体１８Ｃ、帯電部材２０Ｃ、及び除電ロール２３Ｃが、画像形成装置１０に対して着脱自在な着脱ユニット２１Ｃとして構成されている。また、回転部材である像保持体１８Ｋ、帯電部材２０Ｋ、及び除電ロール２３Ｋが、画像形成装置１０に対して着脱自在な着脱ユニット２１Ｋとして構成されている。
【００５２】
一方、画像形成装置１０には、各々の着脱ユニット２１Ｙ、２１Ｍ、２１Ｃ、２１Ｋが装着される装着部が設けられている。また、画像形成装置１０には、各々の着脱ユニット２１Ｙ、２１Ｍ、２１Ｃ、２１Ｋが装着された状態で、全ての装着部及び全ての着脱ユニット２１Ｙ、２１Ｍ、２１Ｃ、２１Ｋを覆う開閉自在な蓋部が設けられている。
【００５３】
着脱ユニット２１には、形成した画像の枚数等の画像形成の履歴を示す履歴情報が記憶される記憶手段、及び、着脱ユニット２１が画像形成装置１０の上記装着部に装着された状態で画像形成装置１０と通信するための第１接続部が設けられている。また、画像形成装置１０には、着脱ユニット２１が画像形成装置１０の上記装着部に装着された状態で着脱ユニット２１と通信するための第２接続部が設けられている。そして、着脱ユニット２１が装着部に装着された状態において、第１接続部及び第２接続部が電気的に接続されることにより、着脱ユニット２１と画像形成装置１０とが通信可能となる。第１接続部及び第２接続部が電気的に接続された状態で、画像形成装置１０の制御に基づいて、着脱ユニット２１に履歴情報が更新される。
【００５４】
また、図３に示すように、画像形成装置１０には、着脱ユニット２１に含まれる帯電部材２０に直流電圧を印加する電源９２が設けられている。
【００５５】
また、図３に示すように、画像形成装置１０には、着脱ユニット２１に含まれる帯電部材２０及び像保持体１８間に流れる電流の電流値を検出する電流計９４が設けられている。
【００５６】
次に、図４を参照して、本実施形態に係る画像形成装置１０の電気系の要部構成について説明する。
【００５７】
図４に示すように、本実施形態に係る画像形成装置１０は、画像形成装置１０の全体的な動作を司るＣＰＵ（Central Processing Unit）７０、及び各種プログラムや各種パラメータ等が予め記憶されたＲＯＭ（Read Only Memory）７２を備えて構成される。また、画像形成装置１０は、ＣＰＵ７０による各種プログラムの実行時のワークエリア等として用いられるＲＡＭ（Random Access Memory）７４、及び不揮発性メモリ等を有する記憶部７６を備えて構成される。ＣＰＵ１０は、変更手段、計測手段、及び出力手段の一例である。
【００５８】
また、画像形成装置１０は、外部装置と通信する通信回線Ｉ／Ｆ（Interface）部７８、及びユーザに対して画像形成装置１０の動作状況等に関する各種情報を通知する操作表示部８０を備えて構成される。なお、操作表示部８０は、例えば、プログラムの実行により操作指示の受け付けを実現する表示ボタン、各種情報等が表示されるタッチパネル式のディスプレイと、テンキー、スタートボタン等のハードウェアキーとを含む。
【００５９】
また、画像形成装置１０は、画像形成部８２を備えている。画像形成部８２は、上述した画像形成工程における各種処理を行う各構成部品を含んで構成されている。
【００６０】
また、画像形成装置１０は、電源９２により帯電部材２０に印加する直流電圧の出力値を制御する電圧制御部８４を備えて構成される。
【００６１】
また、画像形成装置１０は、電流計９４による検出値を取得する計測部８６を備えて構成される。
【００６２】
また、画像形成装置１０は、上記装着部に装着された着脱ユニット２１と通信するためのユニット通信部８８を備えて構成される。
【００６３】
また、画像形成装置１０は、蓋部が開かれた状態から閉じられた状態へと変化したことを検知する開閉検知部９０を備えて構成される。開閉検知部９０は、例えば、蓋部の開閉状態を検知する光センサ等により、蓋部が開かれた状態から閉じられた状態へと変化したことを検知する。
【００６４】
そして、ＣＰＵ７０、ＲＯＭ７２、ＲＡＭ７４、記憶部７６、通信回線Ｉ／Ｆ部７８、操作表示部８０、画像形成部８２、電圧制御部８４、計測部８６、ユニット通信部８８、及び、開閉検知部９０の各部がバスを介して互いに接続されている。
【００６５】
上述した電気的な構成により、本実施形態に係る画像形成装置１０は、ＣＰＵ７０により、ＲＯＭ７２、ＲＡＭ７４、及び記憶部７６に対するアクセス、及び通信回線Ｉ／Ｆ部７８を介した外部装置との通信を各々行う。また、画像形成装置１０は、ＣＰＵ７０により、操作表示部８０を介した各種情報の取得、及び操作表示部８０に対する各種情報の表示を各々行う。また、画像形成装置１０は、ＣＰＵ７０により、画像形成部８２による画像の形成を行う。また、画像形成装置１０は、ＣＰＵ７０により、電圧制御部８４、計測部８６、ユニット通信部８８、及び開閉検知部９０による後述する判定処理を行う。
【００６６】
ここで、本実施形態では、着脱ユニット２１と画像形成装置１０とのユニット通信部８８を介した通信が行えるか否かによって、着脱ユニット２１が画像形成装置１０に装着されているか否かを判定する。
【００６７】
しかしながら、画像形成装置１０に着脱ユニット２１が装着されていても、着脱ユニット２１の第１接続部と画像形成装置１０の第２接続部との接触が不安定であった場合には、着脱ユニット２１と画像形成装置１０との通信が行えない場合がある。このような場合には、着脱ユニット２１と画像形成装置１０との通信が行えないため、着脱ユニット２１が画像形成装置１０に装着されているにも関わらず、着脱ユニット２１が画像形成装置１０に装着されていないと判定されてしまう。
【００６８】
そこで、本実施形態では、着脱ユニット２１と画像形成装置１０との通信が行えない場合に、着脱ユニット２１に含まれる帯電部材２０に直流電圧を印加し、帯電部材２０に流れる電流の電流値を計測する。そして、計測した電流値により、着脱ユニット２１が装着されていない状態であるか、それとも着脱ユニット２１が画像形成装置１０に装着されているにも関わらず、着脱ユニット２１と画像形成装置１０との通信が行えない状態であるかを判定する。
【００６９】
なお、帯電部材２０に交流電圧を印加した際には、着脱ユニット２１が画像形成装置１０に装着されている場合、着脱ユニット２１が画像形成装置１０に装着されていない場合と比較して、帯電部材２０に流れる電流が高くなる。従って、帯電部材２０に交流電圧を印加し、帯電部材２０に流れる電流の電流値を計測することより、着脱ユニット２１が画像形成装置１０に装着されているか否かを判定可能となる。しかしながら、帯電部材２０に交流電圧を印加し、帯電部材２０に流れる電流の電流値を検出した場合には、交流電圧の立ち上がりが遅いため、検出に時間を要する。
【００７０】
一方、帯電部材２０に予め定めた出力値の直流電圧を印加した際には、着脱ユニット２１が画像形成装置１０に装着されている場合であっても、着脱ユニット２１が画像形成装置１０に装着されていない場合と比較して、帯電部材２０に流れる電流の電流値が高くならない。
【００７１】
しかしながら、帯電部材２０に直流電圧を印加し、直流電圧の出力値を変化させた際には、着脱ユニット２１が画像形成装置１０に装着されている場合、着脱ユニット２１が画像形成装置１０に装着されていない場合と比較して、帯電部材２０に流れる電流が高くなる。よって、帯電部材２０に直流電圧を印加し、帯電部材２０に流れる電流の電流値を検出することにより、着脱ユニット２１が画像形成装置１０に装着されているか否かが判定される。
【００７２】
このように、帯電部材２０に直流電圧を印加し、帯電部材２０に流れる電流の電流値を検出した場合には、帯電部材２０に交流電圧を印加した場合と比較して、検出に要する時間が短縮される。また、一般的に、直流電圧を用いた場合には、交流電圧を用いた場合と比較し、検出回路が少なくて済み、検出に要するコストも削減される。
【００７３】
そこで、本実施形態では、着脱ユニット２１が画像形成装置１０に装着されている場合に、帯電部材２０に印加している直流電圧の出力値を変化させると、着脱ユニット２１が画像形成装置１０に装着されていない場合と比較して、帯電部材２０に流れる電流の電流値が高くなることを利用し、着脱ユニット２１が画像形成装置１０に装着されているか否かを判定する。具体的には、帯電部材２０に直流電圧を印加し、印加している直流電圧の出力値を変化させ、直流電圧の出力値を変化させた時点を含む予め定めた期間、帯電部材２０に流れる電流の電流値を計測する。そして、計測された電流値に基づいて、着脱ユニット２１が画像形成装置１０に装着されているか否かを判定する。
【００７４】
また、像保持体１８が回転している間は、帯電部材２０に流れる電流の電流値が、帯電部材２０及び像保持体１８以外の部材の影響を受けることを考慮し、像保持体１８が回転していない状態で帯電部材２０に流れる電流を検知することが好ましい。なお、像保持体１８が回転していない状態とは、像保持体１８を回転させる前の状態であっても、像保持体１８が回転した後に静止した状態であっても構わない。
【００７５】
なお、上述したように、本実施形態では、直流電圧を印加する対象とする電圧印加部材を帯電部材２０とし、帯電部材２０に直流電圧を印加することにより、着脱ユニット２１が画像形成装置１０に装着されているか否かを判定する場合について説明するが、これに限らない。例えば、電圧印加部材を、像保持体１８に近接する部材である、帯電部材２０、現像部材２２、除電ロール２３、及び一次転写ロール３４の少なくとも１つとしても良い。この場合には、帯電部材２０、現像部材２２、除電ロール２３、及び一次転写ロール３４の少なくとも１つに直流電圧を印加し、直流電圧を印加した部材に流れる電流の電流値を計測することにより、着脱ユニット２１が画像形成装置１０に装着されているか否かを判定しても良い。
【００７６】
帯電部材２０、現像部材２２、除電ロール２３、及び一次転写ロール３４のうちの２つ以上に直流電圧を印加する場合、各々の部材に流れる電流の電流値の積算値、平均値等によって着脱ユニット２１が画像形成装置１０に装着されているか否かを判定すると良い。あるいは、各々の部材に流れる電流の電流値に基づいて、部材毎に、着脱ユニット２１が画像形成装置１０に装着されているか否かを判定し、部材毎の判定結果を統合することにより、着脱ユニット２１が画像形成装置１０に装着されているか否かを判定しても良い。
【００７７】
次に、本実施形態に係る画像形成装置１０が、予め定めた時間（例えば、１秒）が経過する毎に実行される判定処理の流れを、図５のフローチャートを参照して説明する。なお、本実施形態では、判定処理のプログラムは予め記憶部７６に記憶されているが、これに限らない。例えば、判定処理のプログラムが通信回線Ｉ／Ｆ部７８を介して外部装置から受信されて記憶部７６に記憶されても良い。また、ＣＤ−ＲＯＭ等の記録媒体に記録された判定処理のプログラムがＣＤ−ＲＯＭドライブ等で読み込まれることにより、判定処理が実行されるようにしてもよい。
【００７８】
ステップＳ１０１では、ＣＰＵ７０が、開閉検知部９０から開閉信号を入力することにより、蓋部が開かれた状態から閉じられた状態へと変化したか否かを判定する。ステップＳ１０１で蓋部が開かれた状態から閉じられた状態へと変化したと判定した場合（Ｓ１０１，Ｙ）は、ステップＳ１０３に移行する。また、ステップＳ１０１で蓋部が開かれた状態から閉じられた状態へと変化していないと判定した場合（Ｓ１０３，Ｎ）は、本判定処理のプログラムの実行を終了する。
【００７９】
ステップＳ１０３では、ＣＰＵ７０が、ユニット通信部８８を介して、着脱ユニット２１との通信を試みる。
【００８０】
ステップＳ１０５では、ＣＰＵ７０が、着脱ユニット２１との通信において、着脱ユニット２１からの応答が得られない等の通信エラーが発生したか否かを判定する。ステップＳ１０５で通信エラーが発生したと判定した場合（Ｓ１０５，Ｙ）はステップＳ１０９に移行する。また、ステップＳ１０５でエラーが発生していないと判定した場合（Ｓ１０５，Ｎ）はステップＳ１０７に移行する。
【００８１】
ステップＳ１０７では、ＣＰＵ７０が、着脱ユニット２１が装着されていると判定し、本判定処理のプログラムの実行を終了する。
【００８２】
ステップＳ１０９では、ＣＰＵ７０が、帯電部材２０に予め定めた第１の出力値の直流電圧が印加されるように電源９２を制御する。なお、第１の出力値を０Ｖとする場合には、本ステップでは帯電部材２０に直流電圧を印加せずに次のステップへ進む。
【００８３】
ステップＳ１１１では、ＣＰＵ７０が、電流計９４による電流値の計測が開始されるように制御する。
【００８４】
ステップＳ１１３では、ＣＰＵ７０が、電流計９４による電流値の計測を開始してから予め定めた第１時間（例えば、１０ｍ秒〜１００ｍ秒）が経過したか否かを判定する。ステップＳ１１３で第１時間が経過したと判定した場合（Ｓ１１３，Ｙ）はステップＳ１１５に移行する。また、ステップＳ１１３で第１時間が経過していないと判定した場合（Ｓ１１３，Ｎ）は、第１時間が経過するまで本ステップの処理を繰り返す。
【００８５】
ステップＳ１１５では、ＣＰＵ７０が、帯電部材２０に予め定めた第２の出力値の直流電圧が印加されるように電源９２を制御する。なお、第２の出力値は、第１の出力値と異なる値であれば如何なる値でも良い。
【００８６】
ステップＳ１１７では、ＣＰＵ７０が、帯電部材２０に第２の出力値の直流電圧が印加されるように電源９２を制御してから予め定めた第２時間（例えば、１０ｍ秒〜１００ｍ秒）が経過したか否かを判定する。ステップＳ１１７で第２時間が経過したと判定した場合（Ｓ１１７，Ｙ）はステップＳ１１９に移行する。また、ステップＳ１１７で第２時間が経過していないと判定した場合（Ｓ１１７，Ｎ）は、第２時間が経過するまで本ステップの処理を繰り返す。
【００８７】
ステップＳ１１９では、ＣＰＵ７０が、電流計９４による電流値の計測が終了されるように制御する。
【００８８】
ステップＳ１２１では、ＣＰＵ７０が、帯電部材２０に対する第２の出力値の直流電圧の印加が停止されるように電源９２を制御する。
【００８９】
一例として図６に示すように、着脱ユニット２１が画像形成装置１０に装着されている場合には、第１時間の間、帯電部材２０に印加する直流電圧の出力値Ｌ１が第１の出力値となるように制御され、帯電部材２０に流れる電流の電流値Ｌ２がほぼ０となる。また、帯電部材２０に印加する直流電圧の出力値Ｌ１が第１の出力値から第２の出力値に変更されるように制御された際に、帯電部材２０に流れる電流の電流値Ｌ２が高くなり、ピークが出現する。さらに、第２時間の間、帯電部材２０に印加する直流電圧の出力値Ｌ１が第２の出力値となるように制御され、帯電部材２０に流れる電流の電流値Ｌ２がほぼ０となる。そして、帯電部材２０に印加する直流電圧の出力値Ｌ１が第２の出力値から第１の出力値に変更されるように制御された際に、帯電部材２０に流れる電流の電流値Ｌ２が高くなり、ピークが出現する。
【００９０】
一方、着脱ユニット２１が画像形成装置１０に装着されていない場合には、帯電部材２０に印加する直流電圧の出力値が変更されるように制御された場合でも、帯電部材２０に流れる電流の電流値が高くならない。
【００９１】
ステップＳ１２３では、ＣＰＵ７０が、電流計９４により検出された電流値が、予め定めた基準値より高いか否かを判定する。なお、ここでいう電流値は、電流計９４により検出された電流値の積算値、当該積算値を検出時間で割った平均値、及びピーク値の何れかである。また、ここでいう基準値は、着脱ユニット２１が装着されているか否かを判定するための基準値であり、着脱ユニット２１が装着されている場合に測定された電流値によって決定される基準値である。例えば、着脱ユニット２１が装着されている場合に測定された電流値と、着脱ユニット２１が装着されていない場合に測定された電流値との中央値とすると良い。
【００９２】
一例として図７に示すように、着脱ユニット２１が画像形成装置１０に装着されている場合には、上述したように、帯電部材２０に印加する直流電圧の出力値を変更した際に、帯電部材２０に流れる電流値が高くなる。一方、着脱ユニット２１が画像形成装置１０に装着されていない場合には、帯電部材２０に印加する直流電圧の出力値を変更しても、帯電部材２０に流れる電流の電流値が高くならない。そのため、着脱ユニット２１が画像形成装置１０に装着されている場合には、着脱ユニット２１が画像形成装置１０に装着されていない場合と比較して、電流計９４で計測された電流値が高くなる。
【００９３】
従って、ＣＰＵ７０は、電流計９４で計測された電流値と、着脱ユニット２１が画像形成装置１０に装着されている場合に計測された電流値との比較結果を、着脱ユニット２１の有無として出力する。すなわち、電流計９４で計測された電流値が基準値よりも高い場合には、着脱ユニット２１が画像形成装置１０に装着されていると判定され、電流計９４で計測された電流値が基準値よりも低い場合には、着脱ユニット２１が画像形成装置１０に装着されていないと判定される。
【００９４】
なお、図７におけるケースＡは、像保持体１８の膜厚４０μｍである場合の電流計９４で計測された電流値を表していて、図７におけるケースＢは、像保持体１８の膜厚２６μｍである場合の電流計９４で計測された電流値を表している。なお、像保持体１８の膜厚は、経時劣化によって薄くなっていく。
【００９５】
ステップＳ１２３で電流計９４により計測された電流値が基準値より高いと判定した場合（Ｓ１２３，Ｙ）はステップＳ１２５に移行する。また、ステップＳ１２３で電流計９４により計測された電流値が基準値以下であると判定された場合（Ｓ１２３，Ｎ）はステップＳ１２７に移行する。
【００９６】
ステップＳ１２５では、ＣＰＵ７０が、着脱ユニット２１が装着されているが、着脱ユニット２１と画像形成装置２とが接触不良であると判定し、本判定処理のプログラムの実行を終了する。この際、ＣＰＵ７０は、アラートとして、着脱ユニット２１が装着されているが、着脱ユニット２１と画像形成装置１０とが接触不良である旨を操作表示部８０に表示させ、ユーザに着脱ユニット２１の再装着を促す。
【００９７】
ステップＳ１２７では、ＣＰＵ７０が、着脱ユニット２１が装着されていないと判定し、本判定処理のプログラムの実行を終了する。この際、ＣＰＵ７０は、アラートとして、着脱ユニット２１が装着されていない旨を操作表示部８０に表示させ、ユーザに着脱ユニット２１の装着を促す。
【００９８】
このように、本実施形態では、着脱ユニット２１に含まれる像保持体１８が回転していない状態で、帯電部材２０に直流電圧を印加すると共に、直流電圧の出力値を変更し、出力値を変更した時点を含む期間に帯電部材２０に流れる電流を計測し、計測された電流値から着脱ユニット２１の有無を出力する。
【００９９】
これにより、例えば、第１の出力値を０とした場合には、帯電部材２０に直流電圧を印加してない状態から印加した状態に切り替えるだけで、着脱ユニット２１の有無が判定可能となる。
【０１００】
なお、本実施形態では、帯電部材２０に印加する直流電圧の出力値を１回変更する場合について説明したが、これに限らず、複数回変更しても良い。この場合には、例えば、上記ステップＳ１１５乃至Ｓ１１７の処理を、印加する直流電圧の出力値を変更しつつ、複数回繰り返せば良い。
【０１０１】
例えば、第３時間が経過する毎に帯電部材２０に印加する直流電圧の出力値を第１の出力値と第２の出力値とで交互に変更されるように制御したとする。このような場合には、一例として図８に示すように、着脱ユニット２１が画像形成装置１０に装着されている場合には、帯電部材２０に印加する直流電圧の出力値Ｌ３が第１の出力値と第２の出力値とで交互に変更されるように制御されている間、帯電部材２０に流れる電流の電流値Ｌ４が高くなる。
【０１０２】
また、直流電圧の出力値を変更する際には、低い状態から高くしても良く、高い状態から低くしても良い。また、第１の出力値と第２の出力値との差を大きくすることにより着脱ユニット２１の有無の判定精度が向上する。しかしながら、帯電部材２０に高い電圧を印加することにより像保持体１８に負荷がかかることを考慮し、直流電圧の出力値の上限を、実使用時の出力値以下の値とすると良い。
【０１０３】
また、本実施形態では、帯電部材２０に印加している直流電圧の出力値を変更する時点を含む前後の期間において、帯電部材２０に流れる電流の電流値を計測するが場合について説明したが、これに限らない。例えば、帯電部材２０に印加している直流電圧の出力値を変更する時点を含み、当該時点以降の期間において、帯電部材２０に流れる電流の電流値を計測しても良い。
【０１０４】
〔第２実施形態〕
【０１０５】
次に、第２実施形態に係る画像形成装置について説明する。
【０１０６】
上記第１実施形態では、予め定めた第１時間において帯電部材２０に第１の出力値の直流電圧を印加し、予め定めた第２時間において帯電部材２０に第２の出力値の直流電圧を印加する場合について説明した。一方、本第２実施形態では、帯電部材２０に直流電圧を印加しない状態から帯電部材２０に直流電圧を印加し、帯電部材２０に流れる電流の電流値が下がった場合に、帯電部材２０に対する直流電圧の印加を停止する場合について説明する。
【０１０７】
上述したように、帯電部材２０に電圧を印加することにより像保持体１８に負荷がかかることを考慮し、帯電部材２０に対する電圧の印加時間を短縮することが望ましい。そこで、本実施形態では、帯電部材２０に流れる電流の電流値が下がったタイミングで、着脱ユニット２１が画像形成装置１０に装着されているか否かを判定するための十分な電流値を得られたと判断し、帯電部材２０への直流電圧の印加を終了する。
【０１０８】
第２実施形態に係る画像形成装置の構成は、上記第１実施形態に係る画像形成装置１０と同じであるため、各構成の説明を省略する。
【０１０９】
次に、本実施形態に係る画像形成装置１０が、予め定めた実行処理が入力された場合に実行する判定処理の流れを、図９のフローチャートを参照して説明する。なお、本実施形態では、判定処理のプログラムは予め記憶部７６に記憶されているが、これに限らない。例えば、判定処理のプログラムが通信回線Ｉ／Ｆ部７８を介して外部装置から受信されて記憶部７６に記憶されても良い。また、ＣＤ−ＲＯＭ等の記録媒体に記録された判定処理のプログラムがＣＤ−ＲＯＭドライブ等で読み込まれることにより、判定処理が実行されるようにしてもよい。
【０１１０】
ステップＳ２０１では、ＣＰＵ７０が、開閉検知部９０から開閉信号を入力することにより、蓋部が開かれた状態から閉じられた状態へと変化したか否かを判定する。ステップＳ２０１で蓋部が開かれた状態から閉じられた状態へと変化したと判定した場合（Ｓ２０１，Ｙ）は、ステップＳ２０３に移行する。また、ステップＳ２０１で蓋部が開かれた状態から閉じられた状態へと変化していないと判定した場合（Ｓ２０３，Ｙ）は、本判定処理のプログラムの実行を終了する。
【０１１１】
ステップＳ２０３では、ＣＰＵ７０が、着脱ユニット２１との通信を試みる。
【０１１２】
ステップＳ２０５では、ＣＰＵ７０が、着脱ユニット２１との通信において、着脱ユニット２１からの応答が得られない等の通信エラーが発生したか否かを判定する。ステップＳ２０５で通信エラーが発生したと判定した場合（Ｓ２０５，Ｙ）はステップＳ２０９に移行する。また、ステップＳ２０５でエラーが発生していないと判定した場合（Ｓ２０５，Ｎ）はステップＳ２０７に移行する。
【０１１３】
ステップＳ２０７では、ＣＰＵ７０が、着脱ユニット２１が装着されていると判定し、本判定処理のプログラムの実行を終了する。
【０１１４】
ステップＳ２０９では、ＣＰＵ７０が、帯電部材２０に予め定めた第３の出力値の直流電圧が印加されるように電源９２を制御する。なお、第３の出力値は０Ｖ以外であれば任意の値で良い。
【０１１５】
ステップＳ２１１では、ＣＰＵ７０が、電流計９４による電流値の検出が開始されるように制御する。
【０１１６】
ステップＳ２１３では、ＣＰＵ７０が、電流計９４で検出されている電流値が下がったか否かを判定する。帯電部材２０に流れる電流の電流値が下がったと判定するタイミングとしては、例えば、帯電部材２０に流れる電流の変極点が検出されたタイミング、帯電部材２０に流れる電流の電流値が、当該電流値の最大値（ピーク値）に対して、予め定めた割合（例えば、５０％）の電流値に下がったタイミング等が挙げられる。
【０１１７】
ステップＳ２１３で電流値が下がったと判定した場合（Ｓ２１３，Ｙ）はステップＳ２１５に移行する。また、ステップＳ２１３で電流値が下がっていないと判定した場合（Ｓ２１３，Ｎ）は、電流値が下がるまで本ステップの処理を繰り返す。
【０１１８】
ステップＳ２１５では、ＣＰＵ７０が、帯電部材２０に対する第３の出力値の直流電圧の印加が停止されるように電源９２を制御する。
【０１１９】
ステップＳ２１７では、ＣＰＵ７０が、電流計９４による電流値の計測が終了されるように制御する。
【０１２０】
一例として図１０に示すように、着脱ユニット２１が画像形成装置１０に装着されている場合には、帯電部材２０に印加する直流電圧の出力値Ｌ５が０から第３の出力値に変更されるように制御された際に、帯電部材２０に流れる電流の電流値Ｌ６が高くなる。また、帯電部材２０に流れる電流の電流値が下がったタイミングで、帯電部材２０に印加する直流電圧の出力値Ｌ５が第３の出力値から０となるように制御される。
【０１２１】
ステップＳ２１９では、ＣＰＵ７０が、電流計９４により検出された電流値が、予め定めた基準値より高いか否かを判定する。なお、ここでいう電流値は、電流計９４により検出された電流値の積算値、当該積算値を検出時間で割った平均値、及びピーク値の何れかである。また、ここでいう基準値は、着脱ユニット２１が装着されているか否かを判定するための基準値であり、着脱ユニット２１が装着されている場合に測定された電流値によって決定される基準値である。例えば、着脱ユニット２１が装着されている場合に測定された電流値と、着脱ユニット２１が装着されていない場合に測定された電流値との中央値とすると良い。
【０１２２】
第１実施形態と同様に、電流計９４で計測された電流値が基準値よりも高い場合には、着脱ユニット２１が画像形成装置１０に装着されていると判定され、電流計９４で計測された電流値が基準値よりも低い場合には、着脱ユニット２１が画像形成装置１０に装着されていないと判定される。
【０１２３】
ステップＳ２１９で電流計９４により計測された電流値が基準値より高いと判定した場合（Ｓ２１９，Ｙ）はステップＳ２２１に移行する。また、ステップＳ２１９で電流計９４により計測された電流値が基準値以下であると判定された場合（Ｓ２１９，Ｎ）はステップＳ２２３に移行する。
【０１２４】
ステップＳ２２１では、ＣＰＵ７０が、着脱ユニット２１が装着されているが、着脱ユニット２１と画像形成装置２とが接触不良であると判定し、本判定処理のプログラムの実行を終了する。この際、ＣＰＵ７０は、アラートとして、着脱ユニット２１が装着されているが、着脱ユニット２１と画像形成装置２とが接触不良である旨を操作表示部８０に表示させ、ユーザに着脱ユニット２１の再装着を促す。
【０１２５】
ステップＳ２２３では、ＣＰＵ７０が、着脱ユニット２１が装着されていないと判定し、本判定処理のプログラムの実行を終了する。この際、ＣＰＵ７０は、アラートとして、着脱ユニット２１が装着されていない旨を操作表示部８０に表示させ、ユーザに着脱ユニット２１の装着を促す。
【０１２６】
このように、本実施形態では、帯電部材２０に直流電圧を印加すると共に、電流計９４により計測されている電流値が下がったタイミングで、帯電部材２０への直流電圧の印加を停止させる。
【０１２７】
これにより、帯電部材２０に対する電圧の印加時間が短縮され、帯電部材２０に電圧を印加することにより像保持体１８に負荷がかかることが軽減される。
【符号の説明】
【０１２８】
１０  画像形成装置
１２  画像処理部
１４  露光装置
１６  画像形成ユニット
１８  像保持体
２０  帯電部材
２１  着脱ユニット
２２  現像部材
２３  除電ロール
３４  一次転写ロール
【図１】
2018163235.tif 000003
【図２】
2018163235.tif 000004
【図３】
2018163235.tif 000005
【図４】
2018163235.tif 000006
【図５】
2018163235.tif 000007
【図６】
2018163235.tif 000008
【図７】
2018163235.tif 000009
【図８】
2018163235.tif 000010
【図９】
2018163235.tif 000011
【図１０】
2018163235.tif 000012